(57)【要約】【課題】ノイズ磁界を更に抑制することで、難聴者にとって、より聴き取りやすい無線電話装置を提供することを目的とする。【解決手段】子機１は、通話を電波として送受信するＲＦ部３と、ＲＦ部３を制御する制御部８と、ＲＦ部３に電源を供給する電源部である電池９および安定化電源部１０と、その電源部からＲＦ部３および制御部８に接続する電源ラインに直列に接続され、導線を周回させたコイル部１２ａおよびコイル部１２ａと電源ラインとを接続する接続ライン１２ｂを有し、接続ライン１２ａを並行して隣接させたツイストペア線とした磁界相殺コイル１２とを備えた。【選択図】図２
2007081803.tif 000002
【特許請求の範囲】
【請求項１】
通話を電波として送受信する無線部と、
前記無線部に電源を供給する電源部と、
前記電源部から前記無線部に接続する電源ラインに直列に接続され、導線を周回させたコイル部および前記コイル部と前記電源ラインとを接続する接続ラインを有し、前記接続ラインを並行して隣接させたペア線とした磁界相殺コイルとを備えた無線電話装置。
【請求項２】
前記接続ラインを、ツイストペア線とした請求項１記載の無線電話装置。
【請求項３】
前記磁界相殺コイルは、前記無線部とともに他の負荷に接続される電源ラインに直列に接続されている請求項１または２記載の無線電話装置。
【請求項４】
前記磁界相殺コイルは、音声磁界を発生する誘導コイルが配置された位置において、そのノイズ磁界強度の分布の勾配が重なるような逆相磁界強度の分布になる位置に配置されている請求項１から３のいずれかの項に記載の無線電話装置。
【請求項５】
前記磁界相殺コイルは、前記コイル部がフレキシブルプリント基板に配線されたパターンである請求項１から４のいずれかの項に記載の無線電話装置。
【発明の詳細な説明】
【技術分野】
【０００１】
本発明は、音声やデータの通信を電波による送受信で行い、難聴者が使用する補聴器に備えられたピックアップコイルと磁気結合するためのボイスコイルやＨＡＣ用コイル（Ｈｅａｒｉｎｇ  Ａｉｄ  Ｃｏｍｐａｔｉｂｉｌｉｔｙ）などの誘導コイルを備えた無線電話装置に関する。
【背景技術】
【０００２】
無線電話装置に限らず有線電話装置などに、難聴者のためにボイスコイルやＨＡＣ用コイルなどの誘導コイルが設けられたものがある。電話装置は、この誘導コイルに音声に応じた電流を流すことで音声磁界を発生させることができる。一方、難聴者が使用する補聴器には、ピックアップコイルが備えられたものがある。このピックアップコイルと電話装置に設けられた誘導コイルとが磁気結合して、電話装置からの音声を補聴器に伝える。そうすることで、マイクで音声を拾う補聴器と異なり、周囲の雑音の影響を受けることなく電話装置からの音声を伝えることができる。
【０００３】
無線電話装置は、無線通信を行うための送信部と、受信部とを有する無線部を備えている。無線電話装置が、例えばコードレス電話装置の子機である場合には、送信部は親機へ電波を送信するための回路であり、送信するときに大量の電流が電源である電池から流れ込む。また、受信部は親機からの電波を受信するための回路であり、受信するときに電流が流れる。この流れ込む電流の時間的変化により、送信部または受信部回路付近から磁界が発生する。
【０００４】
この磁界の変化は、子機が、親機へ電波を送信する期間となる送信スロットと、親機が電波を送信する期間となる受信スロットとで構成される時分割スロット方式で送受信をするものであれば、時分割スロットの周期ごとに発生する。
【０００５】
従って、時分割スロットの周期ごとに発生するノイズである磁界が補聴器に設けられたピックアップコイルと磁気結合して、時分割スロットの周期のハム音となって音声に重畳する。このハム音は、難聴者にとっては非常に音声を聞きづらくするものである。特に、電波の元となる信号を増幅する増幅器が電流を多く消費するので、送信スロットにおいての電流の時間的変化は大きく、それに応じて磁界の発生も大きくなる。
【０００６】
このような時間的に変動する磁界の影響を抑制した無線電話装置が特許文献１に記載されている。特許文献１に記載のタイム・デュープレックス無線電話は、送信モードと受信モードと断続的に切り替える無線回路が発生する送信時間に直接比例し、送信磁界と逆相となる打ち消し磁界を少なくとも部分的に発生するハムバッキングコイルを備えることで、補聴器がハムをピックアップするのを阻止するようにしたものである。
【特許文献１】特表２０００−５０４１６７号公報
【発明の開示】
【発明が解決しようとする課題】
【０００７】
特許文献１に記載のタイム・デュープレックス無線電話は、ハムバッキングコイルが受話器を取り囲むように無線電話の上正面部に配置されている。そしてハムバッキングコイルは、バッテリ端子に近い点から、送信機電力増幅器に近いＰＣ基板上の送信機パス内の他点へ接続されたハムバッキングパスで電流が流れる。
【０００８】
従って、特許文献１に記載の無線電話ではハムバッキングパスを電流が流れることでハ
ムバッキングコイルが作用するので、一方でハムバッキングコイルから発生する磁界でノイズ磁界を打ち消してハムを抑制するかもしれないが、他方ではそのハムバッキングコイルに接続する接続線路から発生する余分な磁界でノイズを助長させてしまうおそれがある。これでは打ち消し磁界を発生するコイルの機能を十分に発揮させているとはいえず、更なるノイズの低減が望まれる。
【０００９】
そこで本発明は、ノイズ磁界を更に抑制することで、難聴者にとって、より聴き取りやすい無線電話装置を提供すること目的とする。
【課題を解決するための手段】
【００１０】
本発明の無線電話装置は、通話を電波として送受信する無線部と、前記無線部に電源を供給する電源部と、前記電源部から前記無線部に接続する電源ラインに直列に接続され、導線を周回させたコイル部および前記コイル部と前記電源ラインとを接続する接続ラインを有し、前記接続ラインを並行して隣接させたペア線とした磁界相殺コイルとを備えたことを特徴とする。
【発明の効果】
【００１１】
本発明によれば、コイル部までの接続線路で余分な磁界を発生することを抑制することができるので、ノイズ磁界を更に抑制することで、難聴者にとって、より聴き取りやすい。
【発明を実施するための最良の形態】
【００１２】
本願の第１の発明は、通話を電波として送受信する無線部と、無線部に電源を供給する電源部と、電源部から無線部に接続する電源ラインに直列に接続され、導線を周回させたコイル部およびコイル部と電源ラインとを接続する接続ラインを有し、接続ラインを並行して隣接させたペア線とした磁界相殺コイルとを備えたことを特徴としたものである。
【００１３】
電源部から無線部に電源を供給する電源ラインに直列に接続される磁界相殺コイルを設ける。磁界相殺コイルは、導線を周回させたコイル部と、このコイル部と電源ラインとを接続する接続ラインとを有している。従って、電源部からの電流は、まず電源ラインを介して接続ラインへ流れコイル部へ流れる。そしてコイル部の周回する導線を流れることで相殺磁界を発生させる。そしてコイル部を流れた電流は再び接続ラインを流れ電源ラインに戻り無線部へと流れる。従って、無線部で消費される電流の変化に応じてコイル部が発生する磁界の強度が連動して変化するので、無線部が受信から送信に、送信から受信に動作が変わる際の急激な消費電流の変化で発生するノイズ磁界を、コイル部が発生する磁界で相殺させることができる。そして、そのコイル部に接続する接続ラインは、並行して隣接させたペア線なので、往路と復路とで発生する磁界を相殺させることができる。従って、コイル部までの接続線路で余分な磁界を発生することを抑制することができる。
【００１４】
本願の第２の発明は、接続ラインを、ツイストペア線としたことを特徴としたものである。
【００１５】
接続ラインをツイストペア線とすることで、更にノイズ磁界を少ないものとすることができる。
【００１６】
本願の第３の発明は、磁界相殺コイルは、無線部とともに他の負荷に接続される電源ラインに直列に接続されていることを特徴としたものである。
【００１７】
磁界相殺コイルを介在させる位置を、無線部とともに他の負荷に接続される電源ラインに直列に接続する位置とすることで、無線部が消費する電流だけでなく、他の負荷が消費
する電流にも連動させて変化させることができる。従って、装置全体が発生するノイズ磁界を抑制することができる。
【００１８】
本願の第４の発明は、磁界相殺コイルは、音声磁界を発生する誘導コイルが配置された位置において、そのノイズ磁界強度の分布の勾配が重なるような逆相磁界強度の分布になる位置に配置されていることを特徴としたものである。
【００１９】
難聴者は音声磁界を発生する誘導コイルが配置された位置に補聴器を当てるようにして音声を聞く。従って、誘導コイル付近のノイズ磁界を磁界相殺コイルで相殺するのが望ましい。従って、磁界相殺コイルを、誘導コイル地点でのノイズ磁界強度に合わせた相殺磁界を発生するように調整し、誘導コイル付近に配置するのが効果的であるように思われる。しかし、ノイズ磁界強度の分布が、誘導コイルとは異なる位置にピークがあり、そのピークを頂点としてなだらかな傾きの磁界強度の分布特性となる場合には、誘導コイルが配置されたピンポイントの地点では、磁界相殺コイルが発生する相殺磁界で、ノイズ磁界は相殺されて除去することができるが、その地点から周辺に向かって少しでも離れると、磁界相殺コイルが発生する逆相磁界の強度分布がノイズ磁界の強度分布と重ならなくなるため一方では逆相磁界強度が不足するので除去しきれず、他方では過多となって逆にノイズ源となってしまう。これは、磁界相殺コイルの磁界強度の分布が、ノイズ磁界の強度分布と比較して傾きが急勾配で、急激に周辺に向かって減衰する特性となるためである。従って、磁界相殺コイルを、音声磁界を発生する誘導コイルが配置された位置において、そのノイズ磁界強度の分布の勾配が重なるような逆相磁界強度の分布になる位置に離間させて配置することで、誘導コイル付近のノイズ磁界を広い範囲で抑制することができる。
【００２０】
本願の第５の発明は、磁界相殺コイルは、コイル部がフレキシブルプリント基板に配線されたパターンであることを特徴としたものである。
【００２１】
コイル部をフレキシブルプリント基板に配線されたパターンとすることで、所望とする特性を有するコイル部を、容易に大量に作製することができる。
【実施例】
【００２２】
（実施の形態）
本発明の実施の形態に係る無線電話装置の一例であるコードレス電話装置の子機の構成を、図１から図３に基づいて説明する。図１は、本発明の実施の形態に係る無線電話装置の一例であるコードレス電話装置の子機の構成を説明する図である。図２は、本発明の実施の形態に係る無線電話装置の一例であるコードレス電話装置の子機の実装状態を説明する概略側面図である。図３は、本発明の実施の形態に係る無線電話装置の一例であるコードレス電話装置の子機の実装状態を説明する概略平面図である。
【００２３】
図１に示すように、子機１は、音声データを圧縮してデジタルで親機（図示せず）と通信を行っている。この通信は、親機へ電波を送信する送信スロットと、親機から受信する受信スロットとを交互に繰り返す時分割スロットで行われている。
【００２４】
子機１は、アンテナ２と、ＲＦ部３と、表示部４と、操作部５と、マイク６と、スピーカ７と、制御部８を備えている。
【００２５】
ＲＦ部３は、アンテナ２を介して親機と電波の送受信を行う機能を有した無線部である。ＲＦ部は、受信部３ａと、送信部３ｂと、Ｔ／Ｒスイッチ部３ｃとを備えている。Ｔ／Ｒスイッチ部３ｃは、受信時にはアンテナ２と受信部３ａとを接続するように、送信時にはアンテナ２と送信部３ｂとを接続するように制御部８により制御される。
【００２６】
表示部４は、制御部８から制御された文字情報やイメージ情報を表示する機能を備えており、液晶表示パネルなどを使用することができる。操作部５は、数字キーや機能キーなどを有している。マイク６は、音声を入力して電気信号に変換する機能を有している。スピーカ７は、電気信号を音声に変換して出力するとともに、内部に備えたボイスコイルまたはＨＡＣ用コイルなどの誘導コイルにより音声磁界を発生する機能を備えている。
【００２７】
また、子機１は、ＲＦ部３と制御部８とに電源を供給する電池９と、電池９から供給する電流を安定させる安定化電源部１０とを備えており、電池９と安定化電源部１０で、子機１の電源部を構成している。
【００２８】
そして、安定化電源部１０と、ＲＦ部３および制御部８とを接続する電源ライン１１に磁界相殺コイル１２が直列に介在している。なお図１においては図示してないが、表示部４として使用している液晶表示パネルの電源ラインと、表示部４および操作部５を内側から照射するバックライト用のＬＥＤ（Ｌｉｇｈｔ  Ｅｍｉｔｔｉｎｇ  Ｄｉｏｄｅ）の電源ラインも、磁界相殺コイル１２の出力側に接続されている。
【００２９】
ここで磁界相殺コイル１２について、子機１の各部の実装状態を説明しながら詳細に説明する。
【００３０】
図２および図３に示すように、子機１は、各部が筐体１３に収容されており、通話するときに利用者が顔に押し当てる側の面の下部から上部に向かってマイク６、操作部５、表示部４、スピーカ７が順に配置されている。
【００３１】
つまり、子機１を利用者が顔に押し当てたときに、口に対応する位置にマイク６が配置され、耳に対応する位置にスピーカ７が配置され、その間を操作して、操作した内容が視認しやすいように操作部５が下に、表示部４が上に配置されている。コードレス電話装置の子機１のみならず携帯電話装置など可搬型の電話装置の一般的な配置は、操作性を考慮して上記順序で配置されているものが多い。
【００３２】
そして、筐体１３の内部を仕切るように基板１４が配設され、この基板１４に下部から制御部８、安定化電源部１０、ＲＦ部３、そして筐体１３から突出するアンテナ２が配置されている。また、電池９が下部に配置され、リード線１５で安定化電源部１０と接続されている。
【００３３】
本実施の形態において磁界相殺コイル１２は、基板１４を挟んで安定化電源部１０と同じ高さであり、表示部４の裏側に位置している。すなわち磁界相殺コイル１２は、基板１４と表示部４との間の空間であって、操作部５とスピーカ７との間に配置される。
【００３４】
磁界相殺コイル１２は、導体であるリード線を周回させたコイル部１２ａと、このコイル部１２ａと安定化電源部１０から基板１４を介して配線された電源ライン１１とを接続する接続ライン１２ｂとを備え、接続ライン１２ｂをツイストペア線としている。コイル部１２ａとして、リード線を周回させる回数は、発生するノイズ磁界の強度に応じて適宜決定することができる。
【００３５】
表示部４は、環状のコイル部１２ａを挿通するフレキシブルケーブル４ａで基板１４と接続されている。表示部４は、制御部８からの表示データを基板１４およびフレキシブルケーブル４ａを介して入力する。
【００３６】
このように、子機１の各部は実装されているので、電池９からの電流は、子機１の下部から上部に向かって安定化電源部１０、磁界相殺コイル１２へ流れ、そしてＲＦ部３およ
び制御部８や、図示しないＬＥＤなどへ流れることになる。つまり子機１で消費する電流は全て磁界相殺コイル１１を通過する。従って、送信時と受信時とで消費する電流の変化の激しいＲＦ部３だけでなく、制御部８が消費する電流の変化にも追従するので、子機１全体が発生するノイズ磁界に対して抑制することができる。
【００３７】
そして、コイル部１２ａに接続する接続ライン１２ｂは、並行して隣接させたツイストペア線としているので、往路と復路とで発生する磁界を相殺させることができる。従って、コイル部１２ａまでの接続線路で余分な磁界を発生することを抑制することができる。
【００３８】
なお図２および図３において、コイル部１２ａは、略円形状としているが、ノイズ磁界の強度分布に応じて矩形状としたり、多角形状としたり、異形状としたり適宜選択するのが望ましい。本実施の形態の磁界相殺コイル１２は、導体としてリード線を周回させてコイル部１２ａを形成しているが、フレキシブルプリント基板に配線されたパターンで形成することもできる。フレキシブルプリント基板のパターンを周回させてコイル部１２ａとすることで、子機１を大量に作製しても同じ磁界強度特性を有する磁界相殺コイル１２を容易に準備することができるだけでなく、基板１４に搭載することで、容易に所定位置に実装することができる。
【００３９】
次に、本発明の実施の形態に係る子機１において、磁界相殺コイル１２の配置場所について、更に図４から図６に基づいて説明する。図４は、本発明の実施の形態に係る子機１の各部が発生するノイズ磁界の分布を説明する図である。図５は、磁界相殺コイルをスピーカに近接させて配置したときの磁界強度の分布を説明する図である。図６は、本発明の実施の形態に係る子機１の磁界相殺コイル１２が発生する相殺磁界を説明する図である。
【００４０】
ノイズ磁界は、電池９、安定化電源部１０、制御部８、そしてＲＦ部３のそれぞれから発生している。従って、図４に示すように、電池９から発生するノイズ磁界Ａ、安定化電源部１０から発生するノイズ磁界Ｂ、制御部８から発生するノイズ磁界Ｃ、およびＲＦ部３から発生するノイズ磁界Ｄを合成したものが子機１全体のノイズ磁界Ｅとなる。この合成されたノイズ磁界Ｅは、ＲＦ部３が最も誘導コイルを内蔵するスピーカ７に影響を与える度合いが高いものの、子機１全体として見ると、電池９や、安定化電源部１０や、制御部８などによりスピーカ７とは異なる位置をピークとして周辺に向かってなだらかな傾きの分布特性となる。
【００４１】
難聴者が、補聴器をスピーカ７付近に位置させて通話をするときに、この子機１全体の合成されたノイズ磁界Ｅが問題となるので、磁界相殺コイル１２は、誘導コイルを内蔵するスピーカ７付近に分布するノイズ磁界Ｅを相殺する必要がある。
【００４２】
例えば、スピーカ７の中央位置（点線で示される位置）に対応する磁界強度と同じ相殺磁界を発生する磁界相殺コイル１２を、スピーカ７に近接させて配置したとすると、図５に示すように、磁界相殺コイル１２から発生する磁界強度の分布は、局所的なピークを有する分布となる。従って、スピーカ７からアンテナ２へ向かう方向では磁界相殺コイル１２からの相殺磁界が不足するので除去しきれず、スピーカ７から表示部４との間の部分では過多となって逆にノイズ源となってしまう。従って、スピーカ７から補聴器を少しでも上下方向に移動させると、相殺しきれなかったノイズ磁界がハム音となって難聴者の補聴器に影響を与えてしまう。
【００４３】
そこで、本実施の形態に係る子機１の磁界相殺コイル１２は、スピーカ７が配置された位置において、ノイズ磁界強度の分布の勾配が重なるような逆相磁界強度となる位置に配置されている。つまり図６に示すように、磁界相殺コイル１２をスピーカ７から少し離間させて配置し、磁界相殺コイル１２が発生する相殺磁界の強度分布が、スピーカ７付近の
ノイズ磁界Ｅの分布に重なるような傾きの特性を有するように調整された磁界相殺コイル１２とすることで、スピーカ７付近のノイズ磁界Ｅを相殺することができる相殺磁界Ｆを発生させることができる。従って、補聴器を上下方向にある程度移動したとしても、ハム音を拾うことがないのでクリアな音声を再生することができる。
【００４４】
このように、本発明の実施の形態に係る子機１によれば、磁界相殺コイル１２を基板１２に配置するときに、電源ライン１１からの距離が長くなったとしても、接続ライン１２ｂがツイストペア線で形成されているので、接続ライン１２ｂが長くなったとしてもノイズ磁界を助長するような磁界の発生を抑止することができる。
【産業上の利用可能性】
【００４５】
本発明は、ノイズ磁界を更に抑制することで、難聴者にとって、より聴き取りやすくすることができるので、音声やデータの通信を電波による送受信で行い、難聴者が使用する補聴器に備えられたピックアップコイルと磁気結合するための誘導コイルを備えた無線電話装置に好適である。
【図面の簡単な説明】
【００４６】
【図１】本発明の実施の形態に係る無線電話装置の一例であるコードレス電話装置の子機の構成を説明する図
【図２】本発明の実施の形態に係る無線電話装置の一例であるコードレス電話装置の子機の実装状態を説明する概略側面図
【図３】本発明の実施の形態に係る無線電話装置の一例であるコードレス電話装置の子機の実装状態を説明する概略平面図
【図４】本発明の実施の形態に係る子機の各部が発生するノイズ磁界の分布を説明する図
【図５】磁界相殺コイルをスピーカに近接させて配置したときの磁界強度の分布を説明する図
【図６】本発明の実施の形態に係る子機の磁界相殺コイルが発生する相殺磁界を説明する図
【符号の説明】
【００４７】
１    子機
２    アンテナ
３    ＲＦ部
３ａ    受信部
３ｂ    送信部
３ｃ    Ｔ／Ｒスイッチ部
４    表示部
４ａ    フレキシブルケーブル
５    操作部
６    マイク
７    スピーカ
８    制御部
９    電池
１０    安定化電源部
１１    電源ライン
１２    磁界相殺コイル
１２ａ    コイル部
１２ｂ    接続ライン
１３    筐体
１４    基板
１５    リード線
Ａ〜Ｅ    ノイズ磁界
【図１】
2007081803.tif 000003
【図２】
2007081803.tif 000004
【図３】
2007081803.tif 000005
【図４】
2007081803.tif 000006
【図５】
2007081803.tif 000007
【図６】
2007081803.tif 000008